(57)【特許請求の範囲】
【請求項１】
家具本体に対して開閉自在な抽斗または扉等の移動体に、把手部材を、その回動軸線回りに回動可能に設け、
前記移動体には、前記家具本体の係止部に係脱するラッチ体を、前記回動軸線に交差する枢軸線回りに回動可能に配置し、
該ラッチ体を係合方向に付勢し、
当該ラッチ体には、その枢軸線に交差するように延びる作動杆を設け、この作動杆には、前記回動軸線に交差するように延びる当接体を配設し、
前記把手部材には、前記回動軸線を挟んで一対の押圧部を設け、前記把手部材を回動させたとき、その回動方向に応じた前記いずれか一方の押圧部が前記当接体を押圧することにより、前記作動杆を、前記ラッチ体を係合解除方向に回動させるように構成したことを特徴とする家具におけるラッチ装置。
【請求項２】
前記作動杆を、前記ラッチ体の枢軸線に一致する軸部と、この軸部に略直交するアーム部とから成る略Ｌ字状に形成し、少なくとも前記ラッチ体に対して着脱自在に装着したことを特徴とする請求項１に記載の家具におけるラッチ装置。
【発明の詳細な説明】
【０００１】
【発明の属する技術分野】
本発明は、キャビネットやロッカー等の家具本体に対して開閉自在な抽斗や扉等の移動体に設けたラッチ装置の構造に係り、より詳しくは、前記移動体に設けた把手部材を、その回動軸線回りのいずれの方向にも回動可能とし、当該把手部材の回動に連動してラッチ体を解除する構造に関するものである。
【０００２】
【従来の技術】
従来から、キャビネットやロッカー等の家具においては、家具本体に対して開閉自在な抽斗や扉等の移動体に、これを家具本体に収納した状態で係脱自在に保持するためのラッチ装置を設けて、当該移動体が前記家具本体から不用意に飛び出さないように構成されているものがある。この種のラッチ装置のうち、抽斗に上下回動可能に設けた把手部材を上下いずれの方向に回動させた場合であっても、家具本体に係合したラッチ体を解除する構成が、実公平６−３９２３号公報や特開平７−７９８２７号公報等に開示されている。
【０００３】
【発明が解決しようとする課題】
しかし、前記両先行技術の構成では、前記把手部材の回動力を前記ラッチ体に伝達する連動機構がかなり複雑な構造になるため、部品点数が増大して製造コストが高くなるし、前記抽斗の組立てにも手間が掛かるという問題があった。
【０００４】
そこで、本発明は、これらの問題を解消したラッチ装置を提供することを技術的課題とする。
【０００５】
【課題を解決するための手段】
この技術的課題を解決するため、請求項１のラッチ装置は、家具本体に対して開閉自在な抽斗または扉等の移動体に、把手部材を、その回動軸線回りに回動可能に設け、前記移動体には、前記家具本体の係止部に係脱するラッチ体を、前記回動軸線に交差する枢軸線回りに回動可能に配置し、該ラッチ体を係合方向に付勢し、当該ラッチ体には、その枢軸線に交差するように延びる作動杆を設け、この作動杆には、前記回動軸線に交差するように延びる当接体を配設し、前記把手部材には、前記回動軸線を挟んで一対の押圧部を設け、前記把手部材を回動させたとき、その回動方向に応じた前記いずれか一方の押圧部が前記当接体を押圧することにより、前記作動杆を、前記ラッチ体を係合解除方向に回動させるように構成したものである。
【０００６】
また、請求項２のラッチ装置は、請求項１の記載において、前記作動杆を、前記ラッチ体の枢軸線に一致する軸部と、この軸部に略直交するアーム部とから成る略Ｌ字状に形成し、少なくとも前記ラッチ体に対して着脱自在に装着したものである。
【０００７】
【発明の効果】
請求項１のように構成すると、把手部材を回動させたときには、一対の押圧部のうち前記回動方向に応じたいずれか一方が当接体を押圧することにより、作動杆を介してラッチ体を係合解除方向に回動させるから、前記把手部材を、その回動軸線回りのいずれの方向に回動させても、前記ラッチ体を家具本体の係止部から外れるように回動させることができる。この場合、前記把手部材の回動力を前記ラッチ体に伝達するための連動機構は、前記作動杆、前記当接体及び前記一対の押圧部により構成されているから、ラッチ装置の構造が至極簡単になって、部品点数が少なくて済む。これにより、ラッチ装置の製造コストを低減できるという効果を奏する。
【０００８】
ところで、例えば、移動体としての抽斗に本発明に係るラッチ装置を設けた場合において、家具における各段の抽斗の高さ寸法がそれぞれ異なるときに、その高さ方向において、前記把手部材と前記ラッチ体との上下配置間隔を異なるように配置させたい場合がある。
【０００９】
このような場合、請求項２のように構成すると、前記作動杆が少なくとも前記ラッチ体に対して着脱自在であるから、前記把手部材と前記ラッチ体の高さに応じた寸法の作動杆に取り替えることによって、対処することができ、ラッチ装置の汎用性が向上する。
【００１０】
【発明の実施の形態】
以下、本発明を具体化した実施形態を図面（図１〜図１０）に基づいて説明する。図１〜図６は本発明の第１実施形態を示しており、より詳しくは、本発明に係るラッチ装置をキャビネット１の抽斗３に適用したものである。
【００１１】
図１に示すように、家具としてのキャビネット１は、前面開口した金属板製の本体２内に、前後摺動可能な抽斗３を上下方向に複数段（図１では３段）備えて成るものである。なお、当該各抽斗３は請求項に記載した移動体に相当する。これら各抽斗３のラッチ装置は基本的に同じ構成であるから、以下の説明では、最上段の抽斗３及びそのラッチ装置を代表とする。
【００１２】
抽斗３は、正面視略矩形状の鏡板４と、この鏡板４の裏面に取り付けた上面開口状の収納部５とにより構成されている（図１及び図２参照）。そして、この鏡板４は、周囲に囲い壁６ａを一体成形して成る合成樹脂製の前板６と、この前板６の裏側に装着した金属板製の裏板７とにより中空状に形成されている（図２及び図３参照）。正面視で囲い壁６ａの左側部に設けた穴（図示せず）からは、収納部５の左側板に沿って延びる合成樹脂製または鋼板製のラッチ体８が後ろ向きに突設されている。
【００１３】
次に、第１実施形態のラッチ装置の構成を図２〜図６に基づいて説明する。図２及び図３に示すように、前板６の左右略中央部には引手穴９が開口しており、裏板７の表面（前面）のうち引手穴９が臨む箇所には、左右両端に貫通穴１１ａ付きの固定片１１，１１を備えた左右長手で略板状の取付けプレート１０がボルト１２及びナット１３にて締結されている。左右両固定片１１，１１は、取付けプレート１０の左右両端を平面視略Ｌ字状に折り曲げ形成したものであり、裏板７の表面に取付けプレート１０を固着した場合には、当該表面から離間するようになっている。
【００１４】
これら左右両固定片１１，１１には、前面開口した中空状の把手部材１４を枢支する平面視略Ｔ字状のブラケット１５，１５が着脱可能に装着されている。当該各ブラケット１５は、左右に貫通する挿通溝１６ａ付きの断面略コ字状の把持部１６と、この把持部１６のうち挿通溝１６ａが開口した一側端から、挿通溝１６ａの貫通方向に沿って延びるばね片部１７と、把持部１６及びばね片部１７の連設部から前向きに突出する枢支部１８とを一体成形して成る合成樹脂製のものである。
【００１５】
左右両ブラケット１５，１５の把持部１６の略中央部分には、後ろ向きに突出する係止片１６ｂが切り起こし形成されている（図２及び図４参照）。取付けプレート１０の左右両固定片１１，１１にブラケット１５，１５を取り付けるに際しては、ばね片部１７が取付けプレート１０の前面側に位置するように、把持部１６の挿通溝１６ａ内に固定片１１を挿通させて、把持部１６の係止片１６ｂがその弾性に抗して固定片１１の貫通穴１１ａに嵌まり込むように構成されている。左右両ブラケット１５，１５の枢支部１８には、鍵穴状の貫通穴１８ａが形成されている。
【００１６】
前面開口した中空状の把手部材１４の左右両側端には、左右外向きに突設した水平ピン１９，１９が一体成形されている。当該両水平ピン１９，１９は、左右両ブラケット１５，１５の枢支部１８に設けた貫通穴１８ａ，１８ａにて回動可能に枢支されている。以上のことから、把手部材１４は、前板６の内面（裏面）側から引手穴９に臨むように構成されている。水平ピン１９の先端面には、後述する押圧体４５の軸部４７を一体的に回動可能に装着するための角穴状の嵌合穴１９ｂが穿設されている（図４参照）。
【００１７】
第１実施形態では、左右両水平ピン１９，１９の突出方向に沿う軸線が把手部材１４の回動軸線２０に相当する（図２及び図６（ａ）（ｂ）参照）。なお、把手部材１４の前面開口部の上下縁に沿って、左右長手の指掛け部１４ａ，１４ｂが内向きに形成されている。左右両水平ピン１９，１９には、各ブラケット１５の枢支部１８に設けた貫通穴１８ａのうち外周側の扇状切欠き部に嵌まる突起１９ａが形成されている。これにより、把手部材１４が回動可能な角度範囲θは略４０°程度に規制されている（図３参照）。
【００１８】
また、図２〜図４に示すように、把手部材１４の後面の左右両側部には、支持ブラケット１５のばね片部１７に当接する上下一対の規制片２１，２２が後ろ向きに突出形成されている。作業者の指を把手部材１４の上指掛け部１４ａに掛けて鏡板４を前方に引いて、把手部材１４を下向き回動させた場合（図３の１点鎖線状態参照）は、左右の下規制片２２，２２が、これに対応するばね片部１７を弾性に抗して後ろ向きに押圧する。そして、上指掛け部１４ａから指を離すと、ばね片部１７の弾性付勢力により、把手部材１４は元の位置（図３の実線状態の位置）に戻るようになっている。
【００１９】
逆に、作業者の指を把手部材１４の左指掛け部１４ｂに掛けて鏡板４を前方に引き、把手部材１４を上向き回動させた場合は、左右の上規制片２１，２１が、これに対応するばね片部１７を弾性に抗して後ろ向きに押圧する。そして、この場合も、下指掛け部１４ｂから指を離すと、ばね片部１７の弾性付勢力により、把手部材１４は元の位置（図３の実線状態の位置）に戻るようになっている。
【００２０】
次に、ラッチ体８の構成について説明する。図２、図５及び図６（ａ）（ｂ）に示すように、ラッチ体８は、丸軸状の胴部２４の側面に、本体２の左内側面に内向き突設した係止部２３に引っ掛けるための係合凹所２５ａが備わる係合片２５と、湾曲板状のばね片２６とを一体成形して成るものである。
【００２１】
胴部２４の上端面には、当該胴部２４の外径よりも小さい外径の上向き突出部２７が一体成形されており、この上向き突出部２７の上端面に角穴状の嵌合穴２７ａが形成されている。また、胴部２４の下端面にも、当該胴部２４の外形よりも小さい外径の下向き突出部２８が一体成形されている。上向き突出部２７に形成した嵌合穴２７ａには、略Ｌ字状の作動杆２９の基部が着脱可能、且つ一体的に回動可能に嵌め込まれている。
【００２２】
他方、前板６の囲い壁６ａの左端部のうち把手部材１４より下方箇所には、右側面を開口した略角筒状のラッチケース３０が着脱可能に装着されている（図５参照）。このラッチケース３０の上板部及び下板部には、ラッチ体８の上向き突出部２７及び下向き突出部２８をそれぞれ回動可能に支持するための右向き開口状の切り開き穴３１、３２が形成されている。
【００２３】
また、ラッチケース３０の後板部には右向き開口の切欠き部３３が形成されている。この切欠き部３３の上端縁及び下端縁には、上向き開口の溝部３３ａと下向き開口の溝部３３ｂとがそれぞれ形成される一方、切欠き部３３の左側縁には爪片３３ｃが切り開き形成されている。
【００２４】
この場合、ラッチケース３０の上下一対の溝部３３ａ，３３ｂを、前板６の囲い壁６ａに穿設した取付け部３４の上下内側縁３４ａ，３４ｂに各々嵌めるとともに、ラッチケース３０の爪片３３ｃを、囲い壁６ａに穿設した係合穴３５に嵌めることにより、ラッチケース３０が前板６の囲い壁６ａに対して着脱可能に装着されている。
【００２５】
そして、ラッチケース３０の上切り開き穴３１にラッチ体８の上向き突出部２７を押し込み挿入するとともに、ラッチケース３０の下切り開き穴３２にラッチ体８の下向き突出部２８を押し込み挿入することにより、ラッチ体８が前板６に対して胴部２４の周りに回動可能に軸支されている。これにより、胴部２４の上向き突出部２７に取り付く略Ｌ字状の作動杆２９は、胴部２４の長手方向に沿った軸部２９ａの周りに水平回動するように構成されている。
【００２６】
第１実施形態では、ラッチ体８の胴部２４の長手方向に沿う軸線がラッチ体８の枢軸線３６に相当し（図５及び図６（ａ）（ｂ）参照）、前記軸部２９ａに略直交して水平方向に延びるアーム部２９ｂが、ラッチ体８の枢軸線３６に略直交するように設定されている。また、アーム部２９ｂは、正面視で把手部材１４の回動軸線２０とほぼ重なるように設定されている。なお、枢軸線３６と作動杆２９のアーム部２９ｂとは、必ずしも正面視で略直交させる必要はなく、正面視で交差する関係にあればよい。
【００２７】
ラッチ体８に一体成形したばね片２６は、その先端部が前板６の裏面に当接するように設定されている。これにより、ラッチ体８の係合片２５は、常時、本体２の左内側面に内向き突設した係止部２３に対してその係合凹所（孔でも良い）２５ａが係合するようにばね付勢されている（図２では矢印Ｒ方向）。なお、別体のバネ手段により係合片２５を係合方向に付勢するように構成しても良い。
【００２８】
次に、把手部材１４の回動力をラッチ体８に伝達するための連動機構の構成について説明する。第１実施形態の連動機構は、前述の作動杆２９と、この作動杆２９のうち水平方向に延びるアーム部２９ｂの先端に取り付く当接体４０と、把手部材１４の左水平ピン１９に連設した押圧体４５とにより構成されている。
【００２９】
図２及び図６（ａ）（ｂ）に示すように、作動杆２９のアーム部２９ｂの先端に取り付けられる当接体４０は、アーム部２９ｂの先端に対して回動不能に嵌まるボス部４１と、アーム部２９ｂ軸線に対して略直交状で上下方向に延びる一対の当接部４２，４３とにより、正面視略Ｔ字状に形成されている。第１実施形態では、これら一対の当接部４２，４３が正面視で把手部材１４の回動軸線２０と略直交するように設定されている。
【００３０】
すなわち、アーム部２９ｂが正面視で把手部材１４の回動軸線２０とほぼ重なるように設定されることにより、上当接部４２は正面視で把手部材１４の回動軸線２０よりも上側に配置される一方、下当接部４３は正面視で回動軸線２０よりも下側に配置されるのである。なお、この場合も、回動軸線２０と上下一対の当接部４２，４３とは、必ずしも正面視で略直交させる必要はなく、正面視で交差する関係にあればよい。
【００３１】
一方、図２、図４及び図６（ａ）（ｂ）に示すように、把手部材１４の左水平ピン１９に連設した押圧体４５は、側面視略半月状の回動板４６と、当該回動板４６の一方の広幅面から外向きに水平方向に突出する軸部４７と、他方の広幅面から軸部４７の延長線を挟んで、軸部４７とは反対向きに突出する上下一対の作動ピン４８，４９とにより、正面視略Ｙ字状に形成されている。これら一対の作動ピン４８，４９が請求項１に記載した一対の押圧部に相当する。
【００３２】
前記軸部４７の先端部が左水平ピン１９の嵌合穴１９ｂに嵌め込み固定されることにより、押圧体４５は、その軸部４７回り、すなわち、把手部材１４の回動軸線２０回りに上下回動可能に構成されている。
【００３３】
この場合、押圧体４５の上下一対の作動ピン４８，４９は、軸部４７の延長線、すなわち、把手部材１４の回動軸線２０を挟んで上下に相等しい距離に配置されている（図４及び図６（ａ）（ｂ）参照）。また、両作動ピン４８，４９は、前記当接体４０よりも裏板７寄りに位置して、上作動ピン４８には当接体４０の上当接部４２が近接または当接し、下作動ピン４９には当接体４０の下当接部４３が近接または当接するように設定されている（図２及び図６（ａ）（ｂ）参照）。
【００３４】
以上の構成において、家具の本体２内に抽斗３を収納すると、ラッチ体８のばね片２６の付勢力により、ラッチ体８における係合片２５の係合凹所２５ａが、本体２の内側面に設けた係止部２３に係合して、抽斗３はキャビネット１の本体２内に収納した状態で保持される。
【００３５】
そして、作業者の指にて把手部材１４の上指掛け部１４ａを鏡板４の前方に引いて、把手部材１４を下向き回動させると（図３の１点鎖線状態参照）、把手部材１４と押圧体４５とが一体的に回動軸線２０の周りに矢印Ａ方向（図６（ａ）参照）に回動し、押圧体４５の上作動ピン４８がアーム部２９ｂの先端に設けた当接体４０の上当接部４２を押圧して、アーム部２９ｂを前板６方向に押圧回動させるから（図６（ａ）の２点鎖線状態参照）、作動杆２９の軸部２９ａと共にラッチ体８の胴部２４が枢軸線３６の周りに矢印Ｃ方向に回動して、係合片２５の係合凹所２５ａが本体２の係止部２３から外れて係合解除される。
【００３６】
逆に、作業者の指にて把手部材１４の下指掛け部１４ｂを鏡板４の前方に引いて、把手部材１４を上向き回動させると（図３の２点鎖線状態参照）、把手部材１４と押圧体４５とが回動軸線２０の周りに矢印Ｂ方向（図６（ｂ）参照）に回動し、押圧体４５の下作動ピン４９がアーム部２９ｂの先端に設けた当接体４０の下当接部４３を押圧して、アーム部２９ｂを前板６方向に押圧回動させるから（図６（ｂ）の２点鎖線状態参照）、作動杆２９の軸部２９ａとともにラッチ体８の胴部２４が枢軸線３６の周りに矢印Ｃ方向に回動して、係合片２５の係合凹所２５ａが本体２の係止部２３から外れて係合解除される。
【００３７】
したがって、把手部材１４を上下（矢印Ａ方向または矢印Ｂ方向）のいずれの方向に回動させても、ラッチ体８を本体２の係止部２３から外れるように（矢印Ｃ方向に）回動させることができるのである。
【００３８】
第１実施形態のラッチ装置によると、把手部材１４の上下方向の回動力をラッチ体８に伝達するための連動機構が、作動杆２９と、上下当接部４２、４３が備えられた当接体４０と、上下一対の作動ピン４８，４９を備えた押圧体４５とにより構成されているから、ラッチ装置の構造が至極簡単になって、部品点数が少なくて済む。これにより、ラッチ装置の製造コストを低減することができ、その組立ても簡単になる。また、ラッチ装置のうち連動機構が特に簡単な構成であるから、ラッチ装置全体のコンパクト化を図ることもできる。
【００３９】
ところで、例えば、キャビネット１における各段の抽斗３の高さ寸法がそれぞれ異なる場合には、通常、各抽斗３とも、把手部材１４の位置は鏡板４の上端から略一定の高さに設定されるとともに、ラッチ体８の高さ位置は鏡板４の下端から略一定の高さに設定されるため、前記把手部材１４と前記ラッチ体８との上下配置間隔を異なるように配置させる必要がある。
【００４０】
この場合、作動杆２９の軸部２９ａ側の基部を、ラッチ体８の上向き突出部２７に設けた嵌合穴２７ａに着脱可能に嵌め込む等、作動杆２９をラッチ体８に対して着脱可能に構成すると共に、把手部材１４とラッチ体８との高さに応じた長さの軸部２９ａを有する作動杆２９に取り替えることによって、種々の高さの抽斗に対応させることができる。なお、作動杆２９は、当接体４０に対して着脱可能に構成してもよいし、ラッチ体８と当接体４０との両方に対して着脱可能に構成してもよい。
【００４１】
図７は、請求項に記載した一対の押圧部の第２実施形態を示している。ここでは、構成及び作用が第１実施形態と変わらないものに対して、第１実施形態と同じ符号を付して、その詳細な説明を省略する。
【００４２】
第２実施形態では、押圧部としての上下一対の作動ピン４８′，４９′が、把手部材１４の左側端部に、回動軸線２０を挟んで外向きに突出するように直接設けられている。このように構成すると、把手部材１４を上下のいずれの方向に回動させても、作動杆２９と、当接体４０と、上下一対の作動ピン４８′，４９′とから成る簡単な連動機構により、ラッチ体８を本体２の係止部２３に対して係合解除するように回動させることができ、第１実施形態と同様の効果を奏するのである。
【００４３】
なお、一対の押圧部は、前述の形態に限らず、例えば、把手部材１４の回動軸線２０に略直交する棒状や板状に形成して把手部材１４に連設し、把手部材１４の回動に連動して、上側押圧部が当接体４０の上当接部４２を、下側押圧部が当接体４０の下当接部４３を押圧するように構成してもよい。
【００４４】
図８〜図１０（ａ）（ｂ）は本発明の第３実施形態を示しており、より詳しくは、本発明に係るラッチ装置を、キャビネット５１の左右一対の扉５２，５２に適用したものである。
【００４５】
図８に示すように、家具としてのキャビネット５１の前面開口部には、各蝶番部５３，５３を介して左右一対の扉５２，５２が観音開き式に装着されている。
当該各扉５２は、周囲に囲い壁５６ａを一体成形して成る前板５６と、この前板５６の裏側に装着した裏板５７とにより中空状に形成されている（図９参照）。
そして、各扉５２の自由端側の上下端には、キャビネット５１の前面開口部側に穿設または切欠きした穴状等の係止部７３に対して係脱するように上下回動する鉤状のラッチ体５８がそれぞれ取り付けられている（第３実施形態では合計４つ）。なお、左右一対の扉５２，５２は請求項に記載した移動体に相当する。
【００４６】
次に、第３実施形態のラッチ装置の構成を図９及び図１０（ａ）（ｂ）に基づいて説明する。第３実施形態では、左右一対の扉５２，５２の自由端側に、同じ構成のラッチ装置がそれぞれ配設されているから、正面視で左側の扉５２のラッチ装置を代表として、以下に説明する。
【００４７】
扉５２の裏板５７に固着した取付けプレート６０における上下両端のブラケット６５，６５に対して、把手部材６４がその上下両端の垂直ピン６９，６９回りに回動自在に装着されており、当該把手部材６４は、前板５６の内面（裏面）側から扉５２の自由端側に穿設した引手穴５９に臨むように構成されている。
上下各垂直ピン６９には、第１実施形態と同様の構成である押圧体９５が取り付けられている。扉５２の上端部のラッチ体５８及び下端部のラッチ体５８には、第１実施形態と同様の構成である当接体９０付きの略Ｌ字状の作動杆７９が各々設けられている。
【００４８】
図９及び図１０（ａ）（ｂ）に示すように、把手部材６４の回動軸線７０が垂直方向に延びる一方、ラッチ体５８の枢軸線８６が水平方向に延びており、上下位置の各作動杆７９は、その軸部７９ａが水平方向（ラッチ体５８の枢軸線８６に沿う方向）に延びるとともに、アーム部７９ｂが垂直方向（把手部材６４の回動軸線７０に沿う方向）に延びるように配置されている。
【００４９】
この場合、各押圧体９５の左右一対の作動ピン９８，９９は、把手部材６４の回動軸線７０を挟んで対向する配置関係になっている（図１０（ａ）（ｂ）で上側のみ示す）。また、両作動ピン９８，９９は、前記当接体９０よりも裏板５７側に位置して、右作動ピン９８には当接体９０の右当接部９２が近接または当接し、左作動ピン９９には当接体９０の左当接部９３が近接または当接するように設定されている。なお、ラッチ体５８は、常時、キャビネット５１の穴状の係止部７３に係合するように、ラッチ体５８のばね片７６にてばね付勢されている。
【００５０】
次に、第３実施形態のラッチ装置の作動態様について説明する。ここでは、正面視で左側の扉５２のラッチ装置のうち把手部材６４よりも上側に位置するものを図１０（ａ）（ｂ）に図示して、これらを基に説明する。
【００５１】
まず、扉５２を閉止すると、ラッチ体５８のばね片７６の付勢力により、ラッチ体５８がキャビネット５１の係止部７３に係合する。
【００５２】
そして、把手部材６４を右向き回動させると、把手部材６４と押圧体９５とが一体的に回動軸線７０の周りに矢印Ｄ方向（図１０（ａ）参照）に回動し、押圧体９５の左作動ピン９９が当接体９０の左当接部９３を押圧して、アーム部７９ｂを前板５６方向に押圧回動させるから（図１０（ａ）の２点鎖線状態参照）、作動杆７９の軸部７９ａとともにラッチ体５８が枢軸線８６の周りに矢印Ｆ方向に回動して、ラッチ体５８がキャビネット５１の係止部７３から外れて係合解除される。下位置のラッチ体５８も同時に係合解除されて扉５２が開放される。
【００５３】
逆に、把手部材６４を左向き回動させると、把手部材６４と押圧体９５が回動軸線７０の周りに矢印Ｅ方向（図１０（ｂ）参照）に回動し、押圧体９５の右作動ピン９８が当接体９０の右当接部９２を押圧して、アーム部７９ｂを前板５６方向に押圧回動させるから（図１０（ｂ）の２点鎖線状態参照）、作動杆７９の軸部７９ａとともにラッチ体５８が枢軸線８６の周りに矢印Ｆ方向に回動して、ラッチ体５８がキャビネット５１の係止部７３から外れて係合解除される。下位置のラッチ体５８も同時に係合解除されて扉５２が開放される。
【００５４】
したがって、この場合も、把手部材６４を左右のいずれの方向に回動させても、各ラッチ体５８をキャビネット５１の係止部７３から外れるように回動させることができ、第１実施形態と同様の効果を奏することができるのである。
【図面の簡単な説明】
【図１】第１実施形態のキャビネットの斜視図である。
【図２】図１のＩＩ−ＩＩ視拡大平断面図である。
【図３】図２のＩＩＩ−ＩＩＩ視側断面図である。
【図４】把手部材の取付け態様を示す分離斜視図である。
【図５】ラッチ体の取り付け態様を示す斜視図である。
【図６】連動機構及びラッチ体の作動状態を示す斜視図であり、（ａ）は把手部材を下向き回動させた場合、（ｂ）は把手部材を上向き回動させた場合である。
【図７】第２実施形態の押圧部を示す斜視図である。
【図８】第３実施形態のキャビネットの斜視図である。
【図９】図８のＩＸ−ＩＸ視側断面図である。
【図１０】連動機構及びラッチ体の作動状態を示す斜視図であり、（ａ）は把手部材を右向き回動させた場合、（ｂ）は把手部材を左向き回動させた場合である。
【符号の説明】
１，５１  家具としてのキャビネット
３  移動体としての抽斗
４  鏡板
８，５８  ラッチ体
９，５９  引手穴
１４，６４  把手部材
１９，６９  水平ピン
２０，７０  回動軸線
２３，７３  係止部
２６，７６  ばね片
２９，７９  作動杆
２９ａ，７９ａ  軸部
２９ｂ，７９ｂ  アーム部
３６，８６  枢軸線
４０，９０  当接体
４５，９５  押圧体
４８，４９，４８′，４９′，９８，９９  押圧部としての作動ピン
５２  移動体としての扉
【図１】
0004574891.tif 000002
【図２】
0004574891.tif 000003
【図３】
0004574891.tif 000004
【図４】
0004574891.tif 000005
【図５】
0004574891.tif 000006
【図６】
0004574891.tif 000007
【図７】
0004574891.tif 000008
【図８】
0004574891.tif 000009
【図９】
0004574891.tif 000010
【図１０】
0004574891.tif 000011